(57)【要約】本発明に係る漢字入力装置は、漢字を情報通信端末に入力する漢字入力装置において、「木」文字体系をベースにして、その構成要素である「｜」からなる各画を基本文字素とし、前記基本文字素から連続して変形がなされる各文字素を割り当てた複数のキーからなり、前記各キーの単数又は複数の操作で該当文字素を時系列順に入力するための文字キー；前記文字キーの操作で構成可能な各文字素及び各漢字のうちの一つを選択させる選択キー；各文字素、及び各文字素から選択した少なくとも二つ以上の文字素が設定順序に従って結合された各文字及び各漢字を格納する格納部；前記文字キーで入力された文字素、少なくとも二つ以上の文字素の結合からなる文字及び漢字、及び前記選択キーによって選択された漢字を前記格納部から検索して生成させる制御部；及び前記文字キーを通じて入力された文字素、前記選択キーで選択された文字又は漢字、前記制御部で生成される文字素、文字、漢字の表出がなされる表示部；を含んで構成される。【選択図】      図１
2017509080.tif 000002
【特許請求の範囲】
【請求項１】
漢字を情報通信端末に入力する漢字入力装置において、
「木」文字体系をベースにした画順体系のうち「一」、「｜」、「ノ」、「ヽ」からなる各画を基本文字素とし、前記基本文字素から連続して変形がなされる各文字素を割り当てた複数のキーからなり、前記各キーの単数又は複数の操作で該当文字素を時系列順に入力するための文字キー；
前記文字キーの操作で構成可能な各文字素及び各漢字のうちの一つを選択させる選択キー；
各文字素、及び各文字素から選択した少なくとも二つ以上の文字素が設定順序に従って結合された各文字及び各漢字を格納する格納部；
前記文字キーで入力された文字素、少なくとも二つ以上の文字素の結合からなる文字及び漢字、及び前記選択キーによって選択された漢字を前記格納部から検索して生成させる制御部；及び
前記文字キーを通じて入力された文字素、前記選択キーで選択された文字又は漢字、前記制御部で生成される文字素、文字、漢字の表出がなされる表示部；を含んで構成される、
ことを特徴とする漢字入力装置。
【請求項２】
前記文字キーは、「一」、「｜」、「ノ」、「ヽ」からなる４つの基本文字素、又は、前記基本文字素のうち「一」を代表とし、
2017509080.tif 000019
これによる２８個の文字素が前記文字キーにそれぞれ割り当てられた、
ことを特徴とする請求項１に記載の漢字入力装置。
【請求項３】
前記文字素は、前記「一」、「｜」、「ノ」、「ヽ」の基本文字素を代表とする各文字素グループのうち、
2017509080.tif 000020
前記第１〜第４拡張文字素グループの各文字素は、前記各文字キーの複数の操作で入力されるように前記各文字キーに割り当てられた、
ことを特徴とする請求項２に記載の漢字入力装置。
【請求項４】
前記基本文字素及び前記第１〜第４拡張文字素グループに至る各文字素は、前記基本文字素「一」、「｜」、「ノ」、「ヽ」の傾き、長さ、加画及び突出原理を適用して区分し、これらが割り当てられた前記文字キーの操作順序に従って入力がなされる、
ことを特徴とする請求項２又は３に記載の漢字入力装置。
【請求項５】
前記文字キーは、少なくとも一つ以上の方向キーをさらに含み、前記制御部は、前記表示部に漢字を全て表示できない場合、前記方向キーの入力によって表示されていない残りの漢字を表示するように制御する、
ことを特徴とする請求項１に記載の漢字入力装置。
【請求項６】
前記方向キーは、前記表示部に表示された漢字に割り当てられる、
ことを特徴とする請求項５に記載の漢字入力装置。
【請求項７】
前記方向キーの入力によって表示される残りの漢字は、前記方向キーに割り当てられた漢字が最初の漢字になる多数の漢字を含む、
ことを特徴とする請求項６に記載の漢字入力装置。
【請求項８】
前記表示部に表示された多数の漢字のうちの少なくとも一つ以上の漢字をショートカットキーに割り当て、前記ショートカットキーを選択すると、前記表示部に前記ショートカットキーに該当する漢字から始まる多数の漢字が表示されるようにし、前記制御部は、前記表示された多数の漢字のうち選択キーによって選択された漢字を発生させるように制御する、
請求項１に記載の漢字入力装置。
【請求項９】
前記ショートカットキーが割り当てられた漢字は、残りの他の漢字と区別されるように表示される、
ことを特徴とする請求項８に記載の漢字入力装置。
【請求項１０】
前記文字キーで多数の文字素が順次入力されるとき、前記表示部には、前記文字素の入力段階毎に該当文字素が結合された組合文字が表示される、
ことを特徴とする請求項１に記載の漢字入力装置。
【請求項１１】
漢字を情報通信端末に入力する漢字入力方法において、
請求項１から１０のうちのいずれか１項の漢字入力装置を備えて、前記文字キーを用いて入力しようとする漢字の筆順に従って該当文字素を順次入力する第１段階；
前記各文字キーの操作で該当文字素が順次入力される度に入力された各文字素が互いに結合された文字を表示部に表示する第２段階；
前記該当文字素が設定された順序に従って結合された文字を含む少なくとも一つ以上の漢字を前記表示部に表示する第３段階；
前記表示された漢字のうち前記入力する漢字を選択する第４段階；及び
前記選択された漢字を発生させて前記情報通信端末に入力させる第５段階；を含む、
ことを特徴とする漢字入力方法。
【請求項１２】
前記第２段階は、
前記入力する漢字の筆順に従って文字素が入力される段階毎に既に入力された文字素と結合された新しい文字を表示部に表示する、
ことを特徴とする請求項１１に記載の漢字入力方法。
【請求項１３】
前記第３段階後、
前記表示部に表示された少なくとも一つ以上の漢字のうちの特定漢字にショートカットキーを割り当てる段階；及び
前記漢字入力過程中に前記割り当てられたショートカットキーを選択する段階；及び
前記選択されたショートカットキーに対応する漢字から始まる少なくとも一つの漢字を前記表示部に表示する段階；をさらに含む、
ことを特徴とする請求項１１に記載の漢字入力方法。
【請求項１４】
前記表示部に漢字を全て表示できない場合、方向キーが入力されると、表示されていない残りの漢字をさらに表示させる、
ことを特徴とする請求項１１又は１３に記載の漢字入力方法。
【請求項１５】
漢字を情報通信端末に入力する漢字入力装置を用いて漢字を検索する方法において、
ことを特徴とする請求項１乃至１０のいずれか一項に漢字入力装置と検索キーを備えて、
前記文字キーを用いて入力しようとする漢字の筆順に従って該当文字素を順次入力する第１段階；
前記各文字キーの操作で該当文字素が順次入力される度に入力された各文字素が互いに結合された文字を表示部に表示する第２段階；
前記該当文字素が設定された順序に従って結合された文字を含む少なくとも一つ以上の漢字を前記表示部に表示する第３段階；
前記表示された漢字のうち前記入力する漢字を選択する第４段階；及び
前記選択された漢字に対して、前記検索キーの入力によって格納部に格納された漢字の細部情報を検索して表示部に表示する第５段階；
を含むことを特徴とする漢字検索方法。
【請求項１６】
漢字検索による前記第３段階は、
前記文字素が結合された文字を含む漢字を前記表示部に全て表示できない場合、方向キーを入力する段階；及び
前記方向キーの入力によって前記表示部に表示されていない残りの他の漢字を表示する段階；
を含むことを特徴とする請求項１５に記載の漢字検索方法。
【請求項１７】
前記方向キーの入力によって表示される残りの漢字は、前記方向キーに割り当てられた漢字が最初の漢字になる多数の漢字を含む、
ことを特徴とする請求項１６に記載の漢字検索方法。
【請求項１８】
前記表示部に表示された多数の漢字のうちの特定漢字にショートカットキーが設定され、前記ショートカットキーが選択されると、前記ショートカットキーに該当する漢字から始まる少なくとも一つ以上の漢字を表示部に表示する、
ことを特徴とする請求項１５に記載の漢字検索方法。
【発明の詳細な説明】
【技術分野】
【０００１】
本発明は、漢字入力装置と漢字入力方法、及びこれを用いた漢字検索方法に関し、特に、「木」文字体系の画順に従う４つの最小画単位である文字素（ｇｒａｐｈｅｍｅ）のそれぞれを４つの文字キーグループを代表する基本文字素とし、各基本文字素のうちのいずれか一つの基本文字素から始めて、連続関係にある各文字キーの組合せで漢字を入力及び検索できるようにする漢字入力装置と漢字入力方法、及びこれを用いた漢字検索方法に関する。
【背景技術】
【０００２】
漢字をコンピュータや携帯端末などのＩＴ機器を通じて入力することは容易でない。
【０００３】
ハングルやアルファベットは、文字の構成要素、すなわち、子音と母音が定められていることから、ＩＴ機器を通じて子音と母音をキーボードやキーパッドなどに割り当てて入力するように設定することができる。
【０００４】
しかし、漢字は、表意文字であって、文字の特性上、特定の規則に従って文字が構成されておらず、文字の個数も非常に多いので、キーボードやキーパッドなどに直接表示して入力することは難しい。
【０００５】
特に、漢字の構成要素である部首が非常に多く、ほとんどの漢字が部首によって結合されているが、その結合の構造が規則的でないので、漢字を一定の規則に従って入力するように技術的に処理することは困難である。
【０００６】
中国、台湾、日本、韓国は、漢字の検索と入力のために、補助手段としてそれぞれアルファベット、注音符号、カナ文字、ハングルを使用している。
【０００７】
これらの補助手段は、発音という共通分母を有している。
従来の漢字入力法としては、漢字を構成する要素を五筆画（一、｜、ノ、丶、乙）に区分して入力する筆画入力法がある。これは、５つの筆画の形状（一、｜、ノ、丶、乙）をキーに表示し、入力する漢字の各画の形状に該当するキーを筆順に従って押すことによってその漢字を入力できるようにする。すなわち、「王」を入力する場合、それぞれ「一」、「一」、「｜」、「一」に対応するキーを順次押した後で特定キーを押すことによって、これらで構成された「王」を入力できるようにする。
しかし、このような漢字入力の場合、入力過程で入力された該当筆画のみが表示されるので、ユーザは漢字の筆画が正確に入力されているか否かを継続して確認しなければならないという煩雑さがある（筆画の漏れの有無を含めて、その入力が正常であるか否かを確認することが難しい）。
【０００８】
また、他の例として、漢字の読み方・発音をアルファベットで入力すると、これに該当する多数の漢字が羅列され、該当する文字を特定キー（文字の順番を示す番号キーなど）の押下によって入力する方式がある。
【０００９】
例えば、「我」の場合、これに該当する英語の発音である「ｗｏ」を入力すると、「我」を始めとして「ｗｏ」の発音に該当する多数の漢字が表示され、これらのうち「我」を選択して入力できるようにする。
【００１０】
しかし、このような方式では、入力しようとする漢字の英語の発音を知っているときにのみ漢字を入力することができ、キーボードやキーパッドに英文字を全て表示しなければならなく、漢字を直接入力することなく英文字を通じて入力するので、キー入力回数が増加し、漢字の入力速度を高めるのに限界がある。
【００１１】
一方、ＩＴ機器における漢字検索方法も多様に提示されている。
【００１２】
一例として、総画検索法は、漢字の総画を用いて該当漢字を検索する方法である。
【００１３】
この方法では、ユーザが画の増減と字形の変化を予め熟知しなければならないという問題がある。    
【文１】
【００１４】
2017509080.tif 000003
【００１５】
他の例として、部首検索法及び発音（ピン音、注音、訓音、読音）検索法がある。一般に、漢字字典と漢字辞典は部首検索法を基本としている。部首検索の過程は、１）部首の総画を計算する。２）部首検字表で部首のページを確認する。３）部首以外の残りの画数を数えた後、所望の漢字を探していく。このような過程は、ユーザの利便性が非常に低いという問題を有する。例えば、「家」の場合、３画である「宀」を部首検字表で探した後、残りの部分である７画の「豕」を検索する。このような理由で、当然に部首検索法の効率性が低下する。
【文２】
【００１６】
2017509080.tif 000004
【００１７】
例えば、説文解字は５４０個の部首を有し、漢語大辞典と漢語大字典は２００個の部首を有し、辞海は２５０個の部首を有している。日本の大漢和辞典、韓国の漢字辞典は２１４個の部首体系を維持している。
【００１８】
ユニコードには、１）韓中日の統合漢字２０，９０２字、２）韓中日の統合漢字拡張−Ａ  ６，５８２字、３）韓中日の統合漢字拡張−Ｂ  ４２，７１１字、４）韓中日の統合漢字拡張−Ｃ  ４，２２０字、５）韓中日の統合互換用漢字４６７字、５）康熙字典の部首２１４字、６）韓中日の統合部首補充漢字１１５字、７）韓中日の統合互換用補充漢字５４２字などの７５，７５３字が登録されている。漢字の正確な数を知ることができないだけでなく、２１４個の部首検字表がないため漢字を直観的に検索することが難しい。また、漢字の部首を知っているとしても、拡張漢字の所属を知っていないと漢字を一々確認しなければならないという問題がある。
【００１９】
発音（ピン音、注音、訓音、読音）検索法は、個別漢字の発音を習得すると速く検索できるという長所を有するが、発音の習得時間が長いという短所を有する。一般に、人々は漢字の全ての発音（ピン音、注音、訓音、読音）を実際に記憶しにくいので、多数の漢字字典と漢字辞典が部首検索を基本とする場合が多く、発音検索リストと総画検索リストを有している。
【文３】
【００２０】
2017509080.tif 000005
【００２１】
発音（ピン音、注音、訓音、読音）入力の一つであるピン音において、中国のＩＴ機器は、入力の効率性を高めるために頻度順配列を採択している。
【００２２】
ここで、発音検索法で入力の効率が低下する最も大きな理由は、残りの漢字を探すために一つの方向キーのみを使用するためである。
【００２３】
しかし、頻度順配列の問題によって多数の方向キーを設定できないという問題がある。
【００２４】
大型字典と大型辞典のピン音検索において、ユーザが漢字の四声を正確に知っていないと検索が遅くなる。ピン音入力の頻度順配列は字典及び辞典のピン音配列と一致しないので、ユーザの入力が不便になる。台湾と日本においても、検索及び入力で同一の現象を経験している。
【００２５】
これに対して、本出願人は、大韓民国特許登録１０−０６４３８５６号、１０−０６６２５５３号、１０−０７５７３７２号を通じて携帯電話入力方法、コンピュータ入力方法及び漢字データベース処理方法を開示したことがあるが、これらは、いずれも漢字のアルファベット配列法をベースにしたものである。
【００２６】
前記本出願人の先出願特許によると、漢字のアルファベット配列法は、核心概念である各字画の羅列であるので、表音文字体系と類似する文字体系になるには論理的に根拠が不十分である。
【００２７】
これは、表音文字体系の最小音単位が文字素であるためである。
【００２８】
そして、漢字の字画の数が４６個に達するにもかかわらず、漢字のアルファベット配列法は字画を２８個に限定させたという問題を有する。そして、漢字のアルファベット配列法は、配列基準の原則に欠けているので、２８個の字画の配列が混乱するという問題も有する。したがって、漢字のアルファベット配列法には制字原理に関する内容がない。また、前記本出願人の先出願特許は、共通的に速い入力のための漢字の方向キー使用方法を提示していないので、検索及び入力の効率性が低下するという問題を有する。また、本出願人の先出願特許は、既存の漢字入力法が使用する頻度順配列の問題を提示していない。そして、本出願人の先出願特許である１０−０７５７３７２号は、漢字のリストウィンドウに横と縦の検索と関係のない無意味な数字を通じて漢字を入力することを提示しており、検索のための入力手段をマウスに限定したという問題を有する。
【発明の概要】
【発明が解決しようとする課題】
【００２９】
本発明は、前記問題の解決と改善のためのものであって、特に、「木」文字体系の画順に従う４つの画を基本文字素とし、これらの基本文字素から連続的な変形関係のある文字素を基本文字素を基準にした文字キーグループに区分し、各基本文字素を含む各文字キーの組合せで漢字を入力及び検索できるようにする漢字入力装置と漢字入力方法、及びこれを用いた漢字検索方法を提供することを目的とする。
【課題を解決するための手段】
【００３０】
前記目的を達成するための本発明に係る漢字入力装置は、
漢字を情報通信端末に入力する漢字入力装置において、「木」文字体系をベースにして、その構成要素である「一」、「｜」、「ノ」、「ヽ」からなる各画を基本文字素とし、前記基本文字素から連続して変形がなされる文字素を割り当てた複数のキーからなり、前記各キーの単数又は複数の操作で該当文字素を時系列順に入力するための文字キー；前記文字キーの操作で構成可能な文字素及び漢字のうちの一つを選択させる選択キー；各文字素、及び各文字素から選択した少なくとも二つ以上の文字素が設定順序に従って結合された各文字及び各漢字を格納する格納部；前記文字キーで入力された文字素、少なくとも二つ以上の文字素の結合からなる文字及び漢字、及び前記選択キーによって選択された漢字を前記格納部から検索して生成させる制御部；及び前記文字キーを通じて入力された文字素、前記選択キーで選択された文字又は漢字、前記制御部で生成される文字素、文字、漢字の表出がなされる表示部；を含んで構成される。
【文４】
【００３１】
2017509080.tif 000006
【００３２】
また、前記基本文字素及び前記第１〜第４拡張文字素グループに至る各文字素は、前記基本文字素「一」、「｜」、「ノ」、「ヽ」の傾き、長さ、加画及び突出原理を適用して区分し、これらが割り当てられた前記文字キーの操作順序に従って入力がなされることが好ましい。
【００３３】
そして、前記文字キーは、少なくとも一つ以上の方向キーをさらに含み、前記制御部は、前記表示部に漢字を全て表示できない場合、前記方向キーの入力によって表示されていない残りの漢字を表示するように制御し、さらに、前記方向キーは、前記表示部に表示された漢字に割り当てられることが好ましい。
【００３４】
また、前記方向キーの入力によって表示される残りの漢字は、前記方向キーに割り当てられた漢字が最初の漢字になる多数の漢字を含んで構成される。
【００３５】
そして、前記表示部に表示された多数の漢字のうちの少なくとも一つ以上の漢字をショートカットキーに割り当て、前記ショートカットキーを選択すると、前記表示部に前記ショートカットキーに該当する漢字から始まる多数の漢字が表示されるようにし、前記制御部は、前記表示された多数の漢字のうち選択キーによって選択された漢字を発生させるように制御することが好ましい。特に、前記ショートカットキーが割り当てられた漢字は、残りの他の漢字と区別されるように表示されることが好ましい。
【００３６】
また、前記文字キーで多数の文字素が順次入力されるとき、前記表示部には、前記文字素の入力段階毎に該当文字素が結合された組合文字が表示されることが好ましい。
【００３７】
一方、前記目的を達成するための本発明の一実施例に係る漢字入力方法は、漢字を情報通信端末に入力する漢字入力方法において、
前記の漢字入力装置を備えて、前記文字キーを用いて入力しようとする漢字の筆順に従って該当文字素を順次入力する第１段階；前記各文字キーの操作で該当文字素が順次入力される度に入力された各文字素が互いに結合された文字を表示部に表示する第２段階；前記該当文字素が設定された順序に従って結合された文字を含む少なくとも一つ以上の漢字を前記表示部に表示する第３段階；前記表示された漢字のうち前記入力する漢字を選択する第４段階；及び前記選択された漢字を発生させて前記情報通信端末に入力させる第５段階；を含んで構成される。
【００３８】
また、前記第２段階は、前記入力する漢字の筆順に従って文字素が入力される段階毎に既に入力された文字素と結合された新しい文字を表示部に表示させることが好ましい。
【００３９】
そして、前記第３段階後、前記表示部に表示された少なくとも一つ以上の漢字のうち特定漢字にショートカットキーを割り当てる段階；及び前記漢字入力過程中に前記割り当てられたショートカットキーを選択する段階；及び前記選択されたショートカットキーに対応する漢字から始まる少なくとも一つの漢字を前記表示部に表示する段階；をさらに含むことが好ましい。
【００４０】
また、前記表示部に漢字を全て表示できない場合、方向キーが入力されると、表示されていない残りの漢字をさらに表示させることが好ましい。
【００４１】
一方、前記目的を達成するための本発明の一実施例に係る漢字検索方法は、漢字を情報通信端末に入力する漢字入力装置を用いて漢字を検索する方法において、前記の漢字入力装置及び検索キーを備えて、前記文字キーを用いて入力しようとする漢字の筆順に従って該当文字素を順次入力する第１段階；前記各文字キーの操作で該当文字素が順次入力される度に入力された文字素が互いに結合された文字を表示部に表示する第２段階；前記該当文字素が設定された順序に従って結合された文字を含む少なくとも一つ以上の漢字を前記表示部に表示する第３段階；前記表示された漢字のうち前記入力する漢字を選択する第４段階；及び前記選択された漢字に対して、前記検索キーの入力によって格納部に格納された漢字の細部情報を検索して表示部に表示する第５段階；を含むことを特徴とする。
【００４２】
また、漢字検索による前記第３段階は、前記文字素が結合された文字を含む漢字を前記表示部に全て表示できない場合、方向キーを入力する段階；及び前記方向キーの入力によって前記表示部に表示されていない残りの他の漢字を表示する段階；を含むことが好ましい。
【００４３】
そして、前記方向キーの入力によって表示される残りの漢字は、前記方向キーに割り当てられた漢字が最初の漢字になる多数の漢字を含むことが好ましい。
【００４４】
併せて、前記表示部に表示された多数の漢字のうち特定漢字にショートカットキーが設定され、前記ショートカットキーが選択されると、前記ショートカットキーに該当する漢字から始まる少なくとも一つ以上の漢字を表示部に表示させることが好ましい。
【発明の効果】
【００４５】
上述したような本発明に係る「木」文字体系を用いた漢字入力装置及び方法、そして、これを用いた漢字検索方法は、次のような効果を有する。
【００４６】
第１、２１４個の部首で配列されているユニコードの漢字リストを「木」文字体系に適用すると、ユニコードの漢字リストに対して英語辞典のように直観的な検索及び入力を行うことができる。他の全ての漢字字典及び漢字辞典も同一の効果を示すことができる。
【００４７】
第２、ユニコード漢字リストを発音（ピン音、注音、訓音、読音）検索、総画検索、筆画検索、筆記検索などのために「木」文字体系に適用すると、直観的な検索及び入力を行うことができる。
【００４８】
第３、既存の部首入力法は部首検字表を補助手段として必ず必要とするが、「木」文字体系を適用すると部首検字表が必要でない。
【００４９】
第４、ピン音入力法と総画入力法は、漢字が多いと四声と五筆画を補助手段として必要とするが、漢字がいくら多くても補助手段が必要でない。
【００５０】
第５、ユニコードの７万余字を始めとした全ての漢字のリストに対して、マウス、タッチ、スタイラスペン、レーザ、瞳孔などの移動手段で直観的な検索及び入力を行うことができる。
【００５１】
第６、表意文字の音標文字概念への転換を通じて検索及び入力の漢字配列が同一になるので、ユーザの負担が既存の入力法に比べて大幅に減少し得る。
【００５２】
第７、「木」文字体系の検索の利便性により、キーボードやキーパッドなどの補助手段を用いることなく漢字を独自に入力することができる。
【００５３】
第８、漢字を筆順に従って組合せで入力すると、漢字記憶喪失症（Ｃｈｉｎｅｓｅ  ｃｈａｒａｃｔｅｒ  ａｍｎｅｓｉａ）が予防される。
【００５４】
第９、多数のショートカットキーに該当する漢字を論理的に配列することによって、既存の方式に比べて入力効率性が高くなる。
【００５５】
第１０、既存の入力方式は頻度順のため方向キーを一つのみ使用しているが、多数の方向キーを使用することによって漢字入力の効率性が高くなる。
【００５６】
第１１、既存の多様な漢字入力法では漢字リストから漢字を選択して入力するが、本発明は、フォントを開発し、ハングルのように組合せで自ら漢字を入力することができる。
【００５７】
第１２、既存の入力法の漢字頻度順には配列規則の客観性がないが、「木」文字体系の配列規則は如何なる入力法に適用しても常に客観性を維持するので、ユーザの使用利便性が向上する。
【図面の簡単な説明】
【００５８】
【図１】本発明の実施例に係る漢字入力装置の構成ブロック図である。
【図２】本発明に係る基本文字素を示した図である。
【図３】本発明に係る基本文字素の交差関係及び対面関係を示した図である。
【図４】本発明に係る基本文字素に対する傾き原理に従う拡張された文字素を示した図である。
【図５】本発明に係る基本文字素に対する長さ原理に従う拡張された文字素を示した図である。
【図６】本発明に係る基本文字素に対する加画原理に従う拡張された文字素を示した図である。
【図７】本発明に係る基本文字素に対する突出原理に従う拡張された文字素を示した図である。
【図８】本発明に係る基本文字素から拡張された文字素のピラミット構造を示した図である。
【図９】本発明の各実施例によって文字素をキーパッド上に具現した例示図である。
【図１０】本発明の各実施例によって文字素をキーパッド上に具現した例示図である。
【図１１】本発明の各実施例によって文字素をキーパッド上に具現した例示図である。
【図１２】本発明の各実施例によって文字素をキーパッド上に具現した例示図である。
【図１３】本発明の各実施例によって文字素をキーパッド上に具現した例示図である。
【図１４】本発明の各実施例によって文字素をキーパッド上に具現した例示図である。
【図１５】本発明の各実施例によって文字素をキーパッド上に具現した例示図である。
【図１６】本発明の各実施例によって文字素をキーパッド上に具現した例示図である。
【図１７】本発明の各実施例によって文字素をキーパッド上に具現した例示図である。
【図１８】本発明の各実施例によって文字素をキーパッド上に具現した例示図である。
【図１９】本発明の各実施例によって文字素をキーパッド上に具現した例示図である。
【図２０】本発明の各実施例によって文字素をキーパッド上に具現した例示図である。
【図２１】本発明の各実施例によって文字素をキーパッド上に具現した例示図である。
【図２２】本発明の各実施例によって文字素をキーパッド上に具現した例示図である。
【図２３】本発明に係る「木」文字体系を示したチャートである。
【図２４】本発明に係る「木」文字体系において文字素の結合段階による文字の例示図である。
【図２５】本発明に係るショートカットキーのリスト及び文字素の方向キーを示した例示図である。
【図２６】本発明に適用される康熙字典の２１４個の部首と「木」文字体系の配列順序を示した図である。
【図２７】本発明に適用される康熙字典の２１４個の部首における「木」文字体系のピラミット構造を示した図である。
【図２８】本発明に適用されるユニコードの韓中日の部首補充と「木」文字体系の配列順序を示した図である。
【図２９】本発明に適用されるユニコードの韓中日の部首補充のピラミット構造を示した図である。
【図３０】本発明に係る「木」文字体系における部首統合の配列順序を示した図である。
【図３１】本発明に適用される康熙字典のページ情報の「木」文字体系を示した図である。
【図３２】本発明に適用される漢語大字典のページ情報の「木」文字体系を示した図である。
【図３３】本発明に適用される漢語大辞典のページ情報の「木」文字体系を示した図である。
【図３４】本発明に適用される大韓和辞典のページ情報の「木」文字体系を示した図である。
【図３５】本発明に適用されるユニコードの韓中日の統合漢字の部首ユニコード番号情報に対応する「木」文字体系を示した図である。
【図３６】本発明に適用されるユニコードの韓中日の統合漢字−Ａの部首ユニコード番号情報に対応する「木」文字体系を示した図である。
【図３７】本発明に適用されるユニコードの韓中日の統合漢字−Ｂの部首ユニコード番号情報に対応する「木」文字体系を示した図である。
【図３８】本発明に適用されるユニコードの韓中日の統合漢字の「一」部首リストを示した図である。
【図３９】本発明に適用されるユニコードの韓中日の統合漢字−Ａの「一」部首リストを示した図である。
【図４０】本発明に適用されるユニコードの韓中日の統合漢字−Ｂの「一」部首リストを示した図である。
【図４１】本発明に適用されるユニコードの韓中日の統合漢字の「一」部首リスト統合のための「木」文字体系を示した図である。
【図４２】本発明に適用されるユニコードの韓中日の統合漢字の「一」部首リスト統合のための「木」文字体系のピラミット構造を示した図である。
【図４３】本発明に係る従来の携帯電話と「木」文字体系とを比較した図である。
【図４４】本発明に係る従来の携帯電話と「木」文字体系の「人」２音節語とを比較した図である。
【図４５】本発明に係る従来の携帯電話と「木」文字体系の２音節語とを比較した図である。
【図４６】本発明に係る羅列と組合せの基準を示した図である。
【図４７】本発明に係る羅列の例示図である。
【図４８】本発明に係る組合せの例示図である。
【発明を実施するための最善の形態】
【００５９】
本発明に係る漢字入力装置は、漢字を情報通信端末に入力する漢字入力装置において、「木」文字体系をベースにして、その構成要素である「一」、「｜」、「ノ」、「ヽ」からなる各画を基本文字素とし、前記基本文字素から連続して変形がなされる各文字素を割り当てた複数のキーからなり、前記各キーの単数又は複数の操作で該当文字素を時系列順に入力するための文字キー；前記文字キーの操作で構成可能な文字素及び漢字のうちの一つを選択させる選択キー；各文字素、及び各文字素から選択した少なくとも二つ以上の文字素が設定順序に従って結合された各文字及び各漢字を格納する格納部；前記文字キーで入力された文字素、少なくとも二つ以上の文字素の結合からなる文字及び漢字、及び前記選択キーによって選択された漢字を前記格納部から検索して生成させる制御部；及び前記文字キーを通じて入力された文字素、前記選択キーで選択された文字又は漢字、前記制御部で生成される文字素、文字、漢字の表出がなされる表示部；を含んで構成される。
【発明を実施するための形態】
【００６０】
まず、本発明を説明するにおいて、「文字素」の意味を定義する。
【００６１】
本発明に使用される文字素（ｇｒａｐｈｅｍｅ）は、表意文字である漢字を構成する最小画単位の文字である。本発明では、特に、「木」文字の画順体系を構成する「一」、「｜」、「ノ」、「ヽ」からなる各画文字を基本文字素として設定する。これらの基本文字素をベースにして文字素を拡張させることができる。このように基本文字素から拡張させた文字を、便宜上、「拡張された文字素」と称する。これは、以下で詳細に説明することにする。このように、本発明では、全ての漢字は少なくとも一つの文字素の構成からなり、これらの文字素の入力を通じて全ての漢字を入力及び検索すると定義する。このような定義から、漢字の入力及び検索方式のための文字素の体系を「木」文字体系と称する。本発明に係る「木」文字体系において、上述した基本文字素はいずれも１画に限定する。
【００６２】
すなわち、本発明では、表意文字である漢字の筆画を最小単位とする文字素とし（例えば、筆を離さずに曲げたり反る関係にある単一の画を文字素とし）、これらの文字素のうち「木」文字体系をなす各画である「一」、「｜」、「ノ」、「ヽ」を基本文字素とする。
【００６３】
そして、これらの各基本文字素は、各画の開始過程で同一の進行方向に又は同一の範疇に連続的に曲げたり反ったり払う関係の文字素を、上記の基本文字素のそれぞれをベース（代表）にする文字素グループに区分することによって論理的秩序を与える。
【００６４】
図１は、本発明の一実施例に係る漢字入力装置の構成図である。
【００６５】
図１を参照すると、本発明に係る漢字入力装置１００は、漢字を構成する文字素を入力するための多数の文字キー１１０と、多数の漢字のうちのいずれか一つを選択するための多数の選択キー１２０と、文字キー１１０及び選択キー１２０によって入力及び選択された文字素及び漢字を発生させるように制御する制御部１３０と、多数の文字素、文字素が結合された文字、漢字などを格納する格納部１４０と、制御部１３０によって発生する文字素及び漢字を表示する表示部１５０とを含んで構成される。また、本発明の他の実施例に係る漢字入力装置１００は、検索キー１６０をさらに含むこともできる。また、本発明の更に他の実施例では、ショートカットキー１７０及び方向キー１８０をさらに含むこともできる。
【００６６】
文字キー１１０には一つ以上の文字素が割り当てられる。このような文字キー１１０の入力によって該当文字素を入力させる。文字素は、「一」、「｜」、「ノ」、「ヽ」で構成される。しかし、他の例では、「一」、「｜」、「ノ」、「ヽ」を含めて４個〜４７個に文字素を拡張することができる。以下では、文字素に対して具体的に説明する。
【００６７】
本発明に係る「木」文字体系は、次の事項に基づいて決定される。
【００６８】
１）図２に示すように、「木」文字体系の中心は「木」である。「木」文字体系を構成する「一」、「｜」、「ノ」、「ヽ」を基本文字素として設定する。これらの基本文字素は、無条件に１画のみに限定する。さらに、これらの基本文字素から拡張される各文字素も１画に限定する。
【００６９】
２）図３に示すように、４個の基本文字素を交差関係と対面関係で設定する。すなわち、「一」と「｜」の交差関係を「十」として設定し、「ノ」と「ヽ」の対面関係を「八」として設定する。
【００７０】
３）４個の基本文字素をベースにして拡張される文字素の場合、図４の傾き原理、図５の長さ原理、図６の加画原理、図７の突出原理から弁別要素が生じる。このような弁別要素の多くの原理を同一の文字素に適用することができる。具体的に説明すると、図４の傾き原理により、「ノ」で左払いの程度によって３つの文字素に拡張することができ、図５の長さ原理により、「ノ」と「ヽ」を相対的に短い形状と対比させ、それぞれ１個ずつ文字素を拡張することができる。また、図６の加画原理により、「一」から１次〜３次加画で文字素を拡張することができ、図７の突出原理により、図６の１次加画文字素から突出の有無によってそれぞれ１個ずつ文字素を拡張することができる。
【００７１】
４）このように、「一」、「｜」、「ノ」、「ヽ」の基本文字素からピラミッド形状に５段階に拡張された文字素をまとめると、図８に示す通りである。本発明の実施例では、これらの４個の基本文字素を含めて、２８個から選択された文字素を文字キー１１０に割り当てる。このとき、多数の文字キー１１０には少なくとも一つ以上の文字素を割り当てることができる。このような文字キー１１０の各例示を図９〜図２２に示す。図２１と図２２は、実際に携帯端末とコンピュータのキーボードに文字素が具現された例を示している。
【００７２】
５）本発明では、このような「木」文字体系の文字素を前記の制字原理に従って順次配列させ、英語の２６個のアルファベットと対称関係をなすようにし、このような対称関係は図２３に示した例の通りである。このような対称関係を用いることによって、２６個のアルファベットに関して対称な文字素をキーボードなどに形成することができる。この場合、アルファベットに関して対称な文字素の入力を通じて文字及び漢字を入力できるようになる。例えば、「非」を入力しようとする場合、「非」の文字素に関して対称なアルファベット「ＶＡＡＢＫＡＡＡ」のキーを押せばよい。これらの２８個の文字素は、図２３に示した順序で決定されることが好ましい。
【文５】
【００７３】
2017509080.tif 000007
【００７４】
９）このような総体的な制字原理をベースにして本発明に係る「木」文字体系が完成する。
【文６】
【００７５】
2017509080.tif 000008
【００７６】
続いて、文字キー１１０を通じて前記のような「木」文字体系によって設定された多数の文字素を入力し、その文字素の入力を通じて所望の漢字を入力することができる。このために、例えば、文字キー１１０に少なくとも一つの文字素が割り当てられ、文字キー１１０を押すことによって該当文字素が入力されるように設定することができる。このような文字キー１１０は、例えば、キーボード、キーパッドなどのキーボタンとして具現することができる。
【００７７】
選択キー１２０は、文字キー１１０で入力された少なくとも一つ以上の文字素で構成された漢字、及びその漢字を含む多数の漢字から入力しようとする漢字を選択するためのものである。このような選択キー１２０も、例えば、キーボタンとして具現することができる。
【００７８】
制御部１３０は、文字キー１１０によって入力された文字素及び／又は漢字を漢字入力装置１００に発生させて入力するように制御する。また、制御部１３０は、選択キー１２０によって選択された文字素及び／又は漢字が発生するように制御する。このように発生した文字素と漢字は漢字入力装置１００に入力される。このような制御部１３０は、ソフトウェア又はプログラムとして具現することができる。
【００７９】
格納部１４０は、多数の文字素、文字素が結合された文字、漢字などを予め格納している。また、格納部１４０は漢字の情報を含む。このような格納部１４０は、文字キー１１０によって入力された文字素及び漢字のみならず、文字キー１１０によって文字素が連続的に入力される度にその連続的に入力された文字素が結合された文字を格納することが好ましい。例えば、「木」を入力するとき、「一」、「｜」、「ノ」、「ヽ」の文字素を順次入力すると、各文字素が入力される度にこれらが順次結合された文字、すなわち、「一」、「十」、「オ」、「木」が段階的に入力される。このように文字素が結合された形態の文字が表示されるとき、文字素や漢字でない文字が入力され得る。よって、格納部１４０は、漢字入力過程で発生し得る文字素、文字素が結合された文字、漢字などを全て格納することが好ましい。また、格納部１４０は、全ての漢字に対する情報を含む。このような漢字情報は、各漢字別の音、意味、例文などを含む。
【００８０】
表示部１５０は、制御部１３０によって入力される文字素、少なくとも一つの文字素が結合された文字、漢字などを表示する。このような表示部１５０は、例えば、液晶表示装置（ＬＣＤ）などのディスプレイ装置として具現することができる。本発明において、表示部１５０は、タッチパッド、タッチスクリーンなどのように文字キー１１０と一体型として具現することもできる。他の実施例において、選択キー１２０も、このようなタッチパッド、タッチスクリーンなどのように文字キー１１０及び表示部１５０と一体型として具現することができる。
【００８１】
検索キー１６０は、表示部１５０に表示された漢字に対する情報を検索して表示部１５０に表示させる。このとき、漢字の情報は、音、意味、例文などの情報を含むことができる。このような漢字の情報は、知らない漢字の意味を知ろうとするときに使用することができる。
【００８２】
ショートカットキー１７０は、入力しようとする漢字が他の所属漢字を含むとき、その含まれる所属漢字に割り当てられる。これは、所属漢字を先に入力した後でショートカットキー１７０を入力すると、その所属漢字から始まる多数の漢字が表示されるようにし、これらのうち所望の漢字を入力できるようにする。例えば、「木」をショートカットキーに割り当てた場合、「本」を入力するときは、先に「木」を入力した後で「木」のショートカットキーを入力すると、「木」を含む漢字、例えば、「木」、「本」、「林」、「朴」などの漢字が表示される。このとき、「本」を選択して入力させることができる。
【００８３】
方向キー１８０は、表示部１５０のサイズ制約によって所望の漢字を全て表示できない場合、一部のみが表示された状態で方向キー１８０を入力すると、表示されていない残りの他の漢字を表示させる。これによって、表示する漢字が多い場合に一部のみを表示し、残りは方向キー１８０の入力によってさらに表示させることができる。
以下では、このように構成された本発明の漢字入力装置１００における漢字入力過程を説明する。本発明では、文字キー１１０を用いて入力しようとする漢字を構成する文字素を筆順に従って入力する。このとき、文字キー１１０によって文字素がそれぞれ入力される度に、表示部１５０にはこれらの文字素が順次結合された文字が表示される。例えば、「王」を入力する場合、「一」、「一」、「｜」、「一」を順次入力すると、表示部１５０には、これらの文字素が入力される度に「一」、「一」、「｜」、「一」が表示されるのではなく、これらの文字素の組合せ、すなわち、一⇒二⇒干⇒王のような文字素の組合せが各段階別に表示される。このとき、「王」のように「天」、「木」、「中」、「少」が組合せとなるためには、
【文７】
【００８４】
2017509080.tif 000009
【００８５】
などのフォントが必要であり、実際にこれらのフォントの文字は通用しないが、画面上には表示されるようにする。よって、本発明では、全ての漢字の入力のために入力過程で表れるそれぞれのフォントを予め格納しており、文字素が連続的に入力される度にこれらのフォントを表示部１５０に表示させることによって、ユーザは、文字素が組み合わされる過程を目で確認しながら文字素を入力することができる。したがって、漢字の全てのフォントが作られると、図２４に示すように、如何なる漢字も生々しく組合せで表現することができる。
【００８６】
また、本発明で漢字を入力する場合、その漢字から始まる多数の他の漢字が予め表示部１５０に表示される。例えば、「王」を入力する場合、「王」から始まる「王」、「全」、「皇」、「弄」などの漢字が表示される。このとき、表示された多数の漢字のうちのいずれか一つは、選択キー１２０を用いて選択できるようになる。
【００８７】
一方、前記のように、漢字を容易且つ速く入力するためにショートカットキー１７０が設定される。本発明では、図２５に示すように、キーボードやキーパッドの初期画面に基本的にショートカットキー１７０のリストを表示できるようにする。図２５の白丸の「一」〜白丸の「丶」内にある代表漢字は、下位所属漢字にすぐ案内できるショートカットキー１７０としての役割をする。すなわち、このようなショートカットキー１７０は、表示部１５０に表示される多数の漢字のうち特定漢字に割り当てることができる。これによって、例えば、「禁」を入力するとき、「木」をショートカットキーとして設定した場合、先に「木」を入力した後、ショートカットキーとして設定された「木」を選択すると、「木」から始まる全ての漢字が表示されるようにし、そのうち「禁」を選択することによってこれを入力できるようにする。勿論、このようなショートカットキーを用いない場合は、「木」、「木」、「示」を筆順に従って順次入力することによって該当漢字を入力することもできる。白丸の「一」〜白丸の「丶」のショートカットキーは、各文字素から始まる最も頻度数の高い漢字のリストがあることを示す。頻度数の高い漢字リストは必ず「木」文字体系の配列順序に従う。前記ショートカットキーの代表漢字は、必ず部首のみを代表するものではない。例えば、「禁」の部首は「示」であるが、筆順の開始が「木」であるので、「禁」はショートカットキーに該当する漢字「木」に属する。すなわち、ショートカットキーとしての役割をする代表漢字「木」は、「木」から筆順が始まる全ての漢字を意味する。「木」の入力は、初期画面の代表漢字「木」を押した後、一番最初に表れる「木」を押すことによって行われる。すなわち、「木」は２回の入力を通じて入力することができる。他のショートカットキーに該当する漢字も全て同一に適用される。ショートカットキーに該当する各漢字は、色や書体を用いてショートカットキーであることを区分させることができる。
【００８８】
ショートカットキーの文字素と組合せ型フォントの配列は、アルファベットＡ、Ｂ、Ｃ、Ｄ、Ｅ、Ｆ、Ｇ、Ｈの配列のように「木」文字体系の基準に従う。白丸の「一」〜白丸の「丶」の代わりに一番最初に表れ得る漢字を配置すると、高頻度の漢字がどこに位置するのかを正確に知ることができる。例えば、ユーザが、英語の単語「ＢＯＯＫ」は「Ｂ」に属することを直観的に知ることができるのと同一の概念である。
【００８９】
ショートカットキー１７０を押すと、キーボードやキーパッドが一時的に消えるようにし、画面全体に各所属漢字（該当ショートカットキー１７０に割り当てられた漢字を含む各漢字）が５０字〜１００字以上表示されるようにする。画面全体から初期画面に戻ってくる記号を作っておくと、非常に便利且つ迅速に漢字を入力することができる。例えば、基本１００字を配置する場合、頻度数の高い８００字を無条件に２回の入力を通じて入力することができる。普遍的な統計によると、８００字の累積使用量は全体文章の８０％以上を占有すると言う。ここで、選択した漢字がディスプレイされる場合、選択された漢字と結合する文字又は単語のリストが継続的に全体画面に表れるようにすると、入力の効率性が極大化される。
【００９０】
「木」文字体系を用いて入力するキーボードは、その形態に合わせて図９〜図２１に示すように４個〜２８個のキーボタンとして具現することができる。しかし、本発明は、このような配置や形態に限定するものではなく、具現しようとするＩＴ機器の形態に合わせて必要に応じて多様な形状に決定することができる。
【００９１】
また、本発明では、ショートカットキーに該当する漢字を用いて所属漢字を入力することができる。ショートカットキーに該当する漢字は、表示部１５０に表示される漢字のうち特定漢字に「木」文字体系の順序に従って与えられる。
【００９２】
一方、本発明の他の特徴では、このような漢字入力装置を用いた漢字検索方法を提供する。漢字検索方法の場合、漢字入力装置で漢字が入力されると、検索キー１６０を入力する。そうすると、該当漢字に対する情報が表示される。このとき、漢字の情報には音、意味、例文などが含まれる。
【００９３】
本実施例に係る「木」文字体系を既存の検索法及び入力法に適用すると、シナジー効果を出すことができる。多くの方法のうち、歴代の主要な３大検索及び入力法は次に示す通りである。
【００９４】
（１）既存の部首検索及び入力法は、部首検字表で部首総画を確認した後、残りの画を数えて検索又は入力する方式であるが、この方法に「木」文字体系を適用すると、部首検字表と残りの画を数える方式が全く必要でない。
【００９５】
（２）総画検索及び入力法に「木」文字体系を適用すると、五筆画を始めとした多くの補助手段を用いることなく検索及び入力することができる。
【００９６】
（３）発音（ピン音、注音、訓音、読音）検索法は、事情によって４個の声調、総画順序、部首順序、筆画順序の補助手段を必要とするが、この方法に「木」文字体系を適用すると、発音の検索後、漢字リストを直観的に検索して入力することができる。この方法に「木」文字体系を適用すると、配列順序の統一性が維持されるので、ユーザが検索及び入力を容易に行うことができる。
【文８】
【００９７】
2017509080.tif 000010
【００９８】
【実施例１】
【００９９】
以下では、部首検索法に「木」文字体系を適用する場合を説明する。時代的に変化した全ての部首リストに漢字をそれぞれ所属させると、部首の変動が発生するとしても検索の不便が生じない。
【文９】
【０１００】
2017509080.tif 000011
【０１０１】
部首検字表として最も多く用いられている康熙字典の２１４個の部首を、「木」文字体系によって図２６に示すようにまとめることができる。また、図２７に示すように、部首リストを「木」文字体系のピラミット構造として全ての漢字を検索すると、部首検字表が必要でない。部首検字表が必要でないので、当然、部首の総画の意味が消えると同時に、残りの画を数えて検索する不便が生じない。韓中日の部首補充は、検索の不便によって伝統的な２１４個の部首から部首の数を変動させ、新たに部首となったものが集まったものである。これを「木」文字体系によってまとめると、図２８の配列順序と図２９のピラミット構造が作られる。
【０１０２】
図３０に示すように、前記２１４個の部首と韓中日の部首補充を合わせると、これまで変形した全ての部首を含む部首統合リストになる。このように既存の部首のみならず、部首の変動で追加された部首に漢字が全て所属すると、自身が知っている部首のみで漢字を検索することができる。将来、部首がさらに増加するとしても、「木」文字体系によって配列すると、部首の検索に何ら問題も生じない。参考事項として、部首の変動事項を表示することが好ましい。
【０１０３】
既存の全ての部首リストは、字典と辞典などの全ての書籍に部首ページ情報があるため検索を可能にするが、ユニコードでは、部首リストがあるとしても、部首のユニコード番号情報がないため検索時間が非常に長くなるしかない。しかし、「木」文字体系は、英語のアルファベットのように文字素で検索できるので、部首のユニコード番号情報を必要としない。部首リストがある全ての書籍のみならず、ユニコードでも英語辞典を探すのと同一に検索及び入力を行うことができる。
【０１０４】
ユニコード漢字は、韓中日の統合漢字２０，９０２字、韓中日の統合漢字拡張−Ａ  ６，５８２字、韓中日の統合漢字拡張−Ｂ  ４２，７１１字、韓中日の統合漢字拡張−Ｃ  ４，２２０字、韓中日の統合互換用漢字４６７字、康熙字典の部首２１４字、韓中日の統合部首補充漢字１１６字、韓中日の統合互換用補充漢字５４２字などの７５，７５４字が登録されており、拡張−Ｄ、拡張−Ｅに継続して増加している。これらは、部首配列となっているので検索が非常に難しい。さらに、探そうとする漢字がどこに属するのかを正確に知ることができない。しかし、前記の各リストを「木」文字体系でそれぞれまとめると、漢字を直観的に検索することができる。さらに、それぞれ分離されたリストを統合することによって全体のリストを作ると、漢字を直観的に検索することが遥かに容易になる。また、ユーザが、統合された全体のリストで個別漢字の所属を知ろうとする場合、ユーザのために個別漢字の所属情報を提供することができる。
【０１０５】
また、既存の部首検字表は、本の種類によって部首を英語辞典のように検索できないので、部首の総画を数えるために多少時間をかけるようになるが、「木」文字体系によって図３１〜図３７の部首検字表をまとめると、直観的な検索を行うことができる。英語辞典の場合、本の種類及び厚さとは関係なく、語彙がいくら多くても直観的に直ぐ検索できるのと同様に、「木」文字体系による漢字検索は、文字素単位の検索であるため検索時間が増加しない。すなわち、漢字が無限大に増加するとしても、検索時間が増加しない。
【０１０６】
「木」文字体系の最も特徴的な点は、既存の数多くの検索法を全く知っていないとしても無限大の漢字を文字素単位で検索できるという点にある。
【０１０７】
ユニコードの韓中日の統合漢字の三つの部分全体の代わりに、「一」部首を例に挙げると、図３８、図３９、図４０に示すようにそれぞれ配列することができ、図４１に示すように三つの部分を統合してまとめることもできる。
【０１０８】
前記韓中日の統合漢字の３種を統合した「一」部首を「木」文字体系によって図４２のピラミット構造でまとめることもできる。
【０１０９】
前記の例を通じて、部首、部首補充、韓中日の統合漢字種類、韓中日の統合漢字を全て含む部首リストをピラミット構造として漢字を検索及び入力することもできる。
【実施例２】
【０１１０】
発音入力法に「木」文字体系を適用するときの内容を説明すると、多くのピン音入力法のうち、代表的に従来の携帯電話（例：ｉＰｈｏｎｅ５（登録商標、図中においても同様））における入力法と本発明の「木」ピン音入力法とを比較してみる。従来の携帯電話に出現する簡体字のピン音リストを示すと、次のように合計１０３字である。
【文１０】
【０１１１】
2017509080.tif 000012
【０１１２】
画面において、１列毎に７字ずつ４列を作り、左右に８個の方向キー１８０を設定し、白丸数字の１〜８を方向キーとして設定する。方向キーは、８個に固定されたものではなく、大型画面であれば１００個以上に設定することができる。したがって、方向キー１８０は画面サイズによって多様に設定することができる。このような方向キー１８０は、表示する漢字が多い場合、表示されていない残りの漢字を表示させるためのものである。すなわち、表示部１５０のサイズ制約によって漢字を全て表示できない場合に一部のみを表示し、残りは方向キー１８０の入力によって表示されていない他の漢字を表示させる。
【文１１】
【０１１３】
2017509080.tif 000013
【０１１４】
【実施例３】
【０１１５】
図４３に示した従来の携帯電話のように、ユーザが簡体字のピン音入力中に「ｒ」発音を選択して入力すると、次の１２字が出現する。１２字を入力及び具現するためには、２回と３回の入力が必要である。
【０１１６】
「木」ピン音入力法によると、「ｒ」の入力時に２８字が表示され、漢字をタッチすると、２回の入力を通じて漢字が入力される。２９番目の漢字からは、漢字の方向キーを通じて探すので３回の入力を通じて入力される。「木」ピン音入力法の場合は、最大２５２字まで３回以内の入力を通じて入力できるが、従来の携帯電話の場合は、１０３字を３回以内の入力を通じて処理することが不可能である。
【実施例４】
【０１１７】
図４４は、前記１０３字のうち最も造語力の多い漢字である「人」を入力した後、１音節が結合される入力の例を示す。この方式において、従来の携帯電話の場合は、頻度順配列と一つの方向キー１８０が使用されるが、「木」ピン音入力法の場合は、図４４に示すように、「木」文字体系の配列による多数の方向キーを使用するので、入力効率性の面で従来の携帯電話との間で絶対的な格差が生じる。
【実施例５】
【０１１８】
図４５の単語入力比較は、従来の携帯電話で最も多く用いられる方式である。スマートフォンやタブレットＰＣなどの多様な機器の画面サイズによって単語をいくらでも増加可能であるが、現在、従来の携帯電話と類似する画面サイズに単語を適用すると、２音節語を５個ずつ４列にする場合、２０単語を処理することができる。「ｒｙ」を２回の入力を通じて入力した後で２音節語を選択すると、２音節語が３回の入力を通じて入力される。２音節語が２０単語を超える場合、漢字の方向キーを押した後で２音節語を選択すると、２音節語が４回の入力を通じて入力される。
【文１２】
【０１１９】
2017509080.tif 000014
【０１２０】
前記１０３個の漢字リストによると、方向キー丸数字の１は、最初の単語「任一」に取り替えられ、方向キー丸数字の２は、最初の単語「如有」に取り替えられる。「任一」と「如有」は、漢字の方向キーとしての役割をするが、タッチを通じて一番最初の単語を入力することができる。漢字の方向キーは、色や書体などで区別することができる。
【０１２１】
上記で例示した表によると、「木」文字体系によって２０単語の配列と８個の方向キーを設定するとき、最大１８０単語まで４回以内で入力できるので、入力が非常に速くなる。すなわち、１８０単語まで入力すると、２０単語×３回＝６０回；１６０単語×４回＝６４０回になり、平均７００回／１８０単語＝３．９回になる。従来の携帯電話は、ディスプレイされる単語を最大５０個に制限しており、単語を増加させるほど入力平均が非常に高くなる。また、従来の携帯電話に単語を多く増加させることはできるが、頻度順配列のため直観的な検索が難しいので、単語リストを制限するしかない。「木」文字体系は、具現方式、単語配列、方向キー設定などの事情によって柔軟に単語を増加させることができる。したがって、「木」文字体系は、従来の携帯電話と異なり、単語の数による入力平均の偏差がほとんどない。これは、いずれのリストでも直観的な検索がなされるためである。
【０１２２】
表意文字である漢字は、文字素の概念を有さないので、音標文字と類似する文字体系で検索して入力することが不完全であると認識されている。本発明は、漢字を検索して入力するための文字体系の開発が核心であるので、従来技術に対する共通した問題を包括的に提起することが好ましい。中国、台湾、日本、韓国は、漢字の検索及び入力のために、補助手段としてそれぞれアルファベット、注音符号、カナ文字、ハングルを用いている。これらの補助手段は、発音という共通分母を有している。
【実施例６】
【０１２３】
総画検索に「木」文字体系を適用した場合を説明すると、伝統的な総画検索は、１）探そうとする漢字の総画を数える段階、２）総画リストを探す段階、３）確認したページを探す段階を経る。
【文１３】
【０１２４】
2017509080.tif 000015
【０１２５】
総画を数えた後の漢字リスト検索の歴史的な統一基準がないので、全ての字典と辞典での検索が難しい。しかし、「木」文字体系によって歴史的な全ての資料の総画検索を統一させると、総画を数えた後の検索が容易になる。
【０１２６】
進化された総画検索は、２段階を改良し、総画の補助手段として五筆画（一、｜、ノ、丶、乙）を用いている。漢語大辞典のように数万個の漢字の総画リストを検索するために、五筆画×五筆画＝２５単位に拡大して検索しなければならない。しかし、「木」文字体系は、如何なる補助手段も用いることなく所望の漢字を独自且つ直観的に検索することができる。
【実施例７】
【０１２７】
筆画入力法は、前記進化された総画検索の補助手段として用いられている五筆画（一、｜、ノ、丶、乙）を使用する方法である。
【文１４】
【０１２８】
2017509080.tif 000016
【０１２９】
全ての漢字は、単字を羅列と組合せで入力することができる。文字素の羅列数はＩＴ機器の事情に従うことが好ましい。文書作業又は文字メッセージなどの漢字を入力するにおいて、図４６に示すように、ディスプレイウィンドウに羅列と組合せを活用すると、単語と文章を速く入力することができる。単語と文章の入力は、文字素を常に１個ずつのみ羅列させる。単字入力、単語と文章入力を一つの画面に同時に具現することができる。
【文１５】
【０１３０】
2017509080.tif 000017
【０１３１】
ユーザが漢字を組合せで直接入力すると、ピン音使用のため漢字の書き取りを徐々に忘れていく現象、すなわち、漢字記憶喪失症（Ｃｈｉｎｅｓｅ  ｃｈａｒａｃｔｅｒ  ａｍｎｅｓｉａ）を予防することができる。
【実施例８】
【０１３２】
筆記入力法は、漢字を筆記し、漢字リストから所望の漢字を探して入力する方式である。
【文１６】
【０１３３】
2017509080.tif 000018
【０１３４】
数千字のリストであっても、英語辞典のように正確に検索して入力することができる。しかし、既存の筆記入力法によると、漢字の数が増加するほど検索が難しくなるので、入力がさらに困難になる。
【実施例９】
【０１３５】
キーボードを用いることなく、検索を通じた画面移動のみでも、「木」文字体系による全ての漢字リストを検索して入力することができる。タッチの手段は、マウス、指、レーザ、スタイラスペン、思考や瞳孔の動きなどと多様であり得る。ここで、漢字の例示対象は簡体字に限定されているが、繁体字を始めとした異体字、略字、俗字などのいずれの漢字にも同一に適用される。
【０１３６】
ディスプレイ画面は、一般的なモニターのみならず、スクリーンなどの画面を視覚的に具現できる全てのものに適用することができる。虚空を画面として具現して視覚的に表しても、レーザなどの道具で検索及び入力を行うことができる。
【０１３７】
前記「木」文字体系の文字素のために、画面の事情によって数十字〜数百字を含むショートカットキーに該当する代表漢字を配置すると、漢字を迅速に探すことができ、より効率的に検索及び入力を行うことができる。これは、「木」文字体系が英語のアルファベット文字体系と同一の概念であるためである。
【図１】
2017509080.tif 000021
【図２】
2017509080.tif 000022
【図３】
2017509080.tif 000023
【図４】
2017509080.tif 000024
【図５】
2017509080.tif 000025
【図６】
2017509080.tif 000026
【図７】
2017509080.tif 000027
【図８】
2017509080.tif 000028
【図９】
2017509080.tif 000029
【図１０】
2017509080.tif 000030
【図１１】
2017509080.tif 000031
【図１２】
2017509080.tif 000032
【図１３】
2017509080.tif 000033
【図１４】
2017509080.tif 000034
【図１５】
2017509080.tif 000035
【図１６】
2017509080.tif 000036
【図１７】
2017509080.tif 000037
【図１８】
2017509080.tif 000038
【図１９】
2017509080.tif 000039
【図２０】
2017509080.tif 000040
【図２１】
2017509080.tif 000041
【図２２】
2017509080.tif 000042
【図２３】
2017509080.tif 000043
【図２４】
2017509080.tif 000044
【図２５】
2017509080.tif 000045
【図２６】
2017509080.tif 000046
【図２７】
2017509080.tif 000047
【図２８】
2017509080.tif 000048
【図２９】
2017509080.tif 000049
【図３０】
2017509080.tif 000050
【図３１】
2017509080.tif 000051
【図３２】
2017509080.tif 000052
【図３３】
2017509080.tif 000053
【図３４】
2017509080.tif 000054
【図３５】
2017509080.tif 000055
【図３６】
2017509080.tif 000056
【図３７】
2017509080.tif 000057
【図３８】
2017509080.tif 000058
【図３９】
2017509080.tif 000059
【図４０】
2017509080.tif 000060
【図４１】
2017509080.tif 000061
【図４２】
2017509080.tif 000062
【図４３】
2017509080.tif 000063
【図４４】
2017509080.tif 000064
【図４５】
2017509080.tif 000065
【図４６】
2017509080.tif 000066
【図４７】
2017509080.tif 000067
【図４８】
2017509080.tif 000068
【国際調査報告】
2017509080.tif 000069
2017509080.tif 000070
2017509080.tif 000071
2017509080.tif 000072